(57)【要約】【課題】  優れた防犯効果が得られ、デザインの多様化が可能である上、必要に応じて開口部を部分的にも全面的にも目隠しすることができる利便性に優れた面格子を提供する。【解決手段】  本発明による面格子1は、格子状のステンレス鋼製ベース2と、面格子1に複数の開口部10A,10B,10Cが形成されるようにベース2の室外側に取り付けられる合成樹脂製外装パネル3A,3Bと、開口部10A,10B,10Cを１個ずつまたは面格子1の一部の区画に位置する複数個ずつ開閉しうるようにベース2の室内側にスライド自在に取り付けられる複数枚のシャッターパネル4A,4Bとを備えている。【選択図】  図１
2006188903.tif 000002
【特許請求の範囲】
【請求項１】
格子状のステンレス鋼製ベース(2)と、
面格子(1)に複数の開口部(10A)(10B)(10C)が形成されるように前記ベース(2)の室外側に取り付けられる少なくとも１枚の合成樹脂製外装パネル(3A)(3B)と、
前記開口部(10A)(10B)(10C)を１個ずつまたは面格子(1)の一部の区画に位置する複数個ずつ開閉しうるように前記ベース(2)の室内側にスライド自在に取り付けられる複数枚のシャッターパネル(4A)(4B)とを備えていることを特徴とする、面格子。
【発明の詳細な説明】
【技術分野】
【０００１】
本発明は、建物の窓などに設置される面格子に関する。
【背景技術】
【０００２】
窓用面格子としては、上下２本のアルミニウム製横桟に、複数本のアルミニウム製縦桟を渡し止めてなるものが、従来より知られている。
【０００３】
このタイプの面格子は、コストを抑えることができる反面、比較的短時間で破壊されるおそれがあって防犯面で十分とは言えない上、縦桟と横桟との組み合わせにすぎないため、デザインの多様化を図るのが困難であった。
【０００４】
また、上記の面格子では、隣り合う縦桟どうしの間に開口部が形成されるが、これらの開口部を通じて建物の内部が覗かれる可能性があった。その反面、開口部を遮蔽部材によって常時覆ってしまうと、建物内への採光や通風に支障があった。
【０００５】
そこで、この問題を解決するため、上記面格子を改良して、横桟に摺動板を水平方向スライド自在に取り付けるとともに、隣り合う縦桟どうしの間の開口部を覆う複数の可動目隠し板を摺動板に固定してなる面格子が提案されている（下記特許文献１参照）。
【０００６】
しかしながら、上記の目隠し板付き面格子の場合、全ての目隠し板が摺動板に固定されて一体化されているため、使用態様等に応じて一部の開口部のみを目隠しするといった融通が利かなかった。また、この面格子によっても、防犯性の強化やデザインの多様化を図ることができなかった。
【特許文献１】実開昭５８−１７１４９５号公報
【発明の開示】
【０００７】
本発明の目的は、優れた防犯効果が得られ、デザインの多様化が可能である上、必要に応じて開口部を部分的にも全面的にも目隠しすることができる利便性に優れた面格子を提供することにある。
【０００８】
本発明による面格子は、格子状のステンレス鋼製ベースと、面格子に複数の開口部が形成されるように前記ベースの室外側に取り付けられる少なくとも１枚の合成樹脂製外装パネルと、前記開口部を１個ずつまたは面格子の一部の区画に位置する複数個ずつ開閉しうるように前記ベースの室内側にスライド自在に取り付けられる複数枚のシャッターパネルとを備えていることを特徴とする。
【０００９】
本発明による面格子によれば、耐破壊強度に富むステンレス鋼製のベースによって、優れた防犯効果が得られる。また、ベースの室外側に取り付けられた外装パネルによって、デザインの多様化を容易に図ることができる。しかも、複数枚のシャッターパネルを個別にスライド操作することにより、必要に応じて必要箇所の開口部の目隠しを行うことができるので、使い勝手が良い。
【発明を実施するための最良の形態】
【００１０】
次に、図１〜図６を参照して本発明の好ましい実施形態を説明する。なお、以下の説明において、左右は室内側から見た場合をいうものとする。
【００１１】
図１は、本発明による窓用面格子(1)を室外側から見た正面図である。この面格子(1)は、格子状のベース(2)と、ベース(2)の室外側に取り付けられた複数枚の外装パネル(3A)(3B)と、ベース(2)の室内側にスライド自在に取り付けられた複数枚のシャッターパネル(4A)(4B)とを備えている。
【００１２】
図２は、面格子(1)のベース(2)のみを示した正面図である。図２に示すように、ベース(2)は、同形同大の複数のベース部材(20)を上下方向に連結することによって形成されている。各ベース部材(20)は、左右方向に等間隔おきに配された複数の方形枠部(21)と、隣り合う方形枠部(21)の対向辺を連結する水平連結部(22)と、各方形枠部(21)における前記対向辺を除く３つの辺からそれぞれ突出した連結用アーム部(23)とを備えている。換言すれば、各ベース部材(20)は、方形枠部および方形枠部の４辺から突出した連結用アーム部を単位体として、該単位体を左右方向に複数（図２では３つ）連結したような形態を有している。これらのベース部材(20)は、ステンレス鋼厚板（例えば厚さ４ｍｍのＳＵＳ３０４板）を打ち抜き加工することにより形成されている。ベース部材(20)の寸法は、例えば、縦１５０ｍｍ×横２００ｍｍ（単位体のサイズ）の倍数に標準化しておくのが好ましい。上記のように設定しておけば、連結するベース部材(20)の数を増減するだけで、多様なサイズの窓に容易に対応させることが可能である。
【００１３】
詳しい図示は省略したが、隣り合うベース部材(20)は、例えば、これらの対応するアーム部(23)どうしをステンレス鋼製の板状継手部材を介して室内側からネジで固定することにより、連結一体化される。
【００１４】
ベース部材(20)における方形枠部(21)の四隅付近には、それぞれ長方形の小さな貫通孔(211)があけられている。
【００１５】
なお、ベース(2)の構造は図１に示したものには限定されない。例えば、前述した１つの単位体（方形枠部およびその４辺から少なくとも１つずつ突出した連結用アーム部）によってベース部材を構成するようにしてもよく、その場合、ベースにおけるベース部材どうしの接合箇所が更に増えるので、破壊に要する時間がより多くかかることになり、防犯性の面では有利である。また、サイズの調整がより細かくできるようになる、より多様なサイズの窓に対応することができるという利点もある。また、連結する単位体の数を２つまたは４つ以上としたり、或いは連結方向を縦方向にしたベース部材もあり得る。あるいは、ステンレス鋼製のフラットバーよりなる複数のベース部材を格子状に連結することによって、ベースを形成することも可能であり、その場合、防犯上の強度を維持しつつ、更にコストを抑えることが可能となる。
【００１６】
外装パネル(3A)(3B)は、各ベース部材(20)の左右両端部および中間の連結部(22)付近を室外側から覆うように、複数枚（図１の場合、計１２枚）設けられている。面格子(1)の左右両端に位置する第１の外装パネル(3A)は幅狭の縦長方形となされ、面格子(1)の左右幅中間に位置する第２の外装パネル(3B)は前者の２倍の幅を有する略正方形となされている。これらの外装パネル(3A)(3B)は、ポリカーボネート等の硬質合成樹脂によって成形される。なお、上下方向に並ぶ複数枚の外装パネル(3A)(3B)は、これらに代えて縦長の１枚の外装パネルとしてもよい。
【００１７】
第１の外装パネル(3A)には、その上部および下部に、室内側に向かって突出した断面方形の水平状第１軸部(31)が形成されている。また、第２の外装パネル(3B)には、その四隅部に、室内側に向かって突出した断面方形の水平状第１軸部(31)が形成されているとともに、その中央部に、室内側に向かって突出した断面円形の水平状第２軸部(32)が形成されている。
【００１８】
上述したベース(2)と外装パネル(3A)(3B)との組み合わせにより、面格子(1)に、縦横複数列に並んだ大開口部(10A)と、上下に隣り合う大開口部(10A)どうしの間に位置する小開口部(10B)と、上端の大開口部(10A)の上側および下端の大開口部(10A)の下側に位置しかつ１辺が外方に開放した端部開口部(10C)とが形成されている。
【００１９】
図３は面格子(1)を室内側から見た背面図であり、図４は図３のIV−IV線に沿う面格子(1)の拡大断面図である。これらの図に示すように、シャッターパネル(4A)(4B)は２枚１組であって、各組毎に、ベース部材(20)に対応した上下複数の区画それぞれに位置する開口部(10A)(10B)(10C)を開閉しうるように構成されている。
【００２０】
各シャッターパネル(4A)(4B)は、ステンレス鋼板（例えば厚さ０．５ｍｍのＳＵＳ３０４板）を打ち抜き加工することにより形成されている。もっとも、シャッターパネル(4A)(4B)の材質は、上記のものには限定されず、その他の金属板や合成樹脂板等を使用することも可能である。
【００２１】
図３に示すように、シャッターパネル(4A)(4B)の縦のサイズは、ベース部材(20)のそれとほぼ同じである。この実施形態では、上側の２枚のシャッターパネル(4A)(4B)により、上区画に位置する上列の大開口部(10A)、上列の小開口部(10B)の上半分および上列の端部開口部(10C)が開閉される。また、下側の２枚のシャッターパネル(4A)(4B)により、下区画に位置する下列の大開口部(10A)、下列の小開口部(10B)の下半分および下列の端部開口部(10C)が開閉される。そして、中央の２枚のシャッターパネル(4A)(4B)により、中央区画に位置する中央列の大開口部(10A)、上列の３個の小開口部(10B)の下半分および下列の３個の小開口部(10B)の上半分が開閉される（図１参照）。
【００２２】
図４に示すように、外装パネル(3A)(3B)は、これらの室内側の面に形成された第１軸部(31)をベース部材(20)の所要の貫通孔(211)に圧入することによって、ベース(2)の室外側に取り付けられている。
【００２３】
シャッターパネルの各々の組は、開口部(10A)(10B)(10C)の左半分の開閉を担う第１のシャッターパネル(4A)と、同右半分の開閉を担う第２のシャッターパネル(4B)とで構成されている。これらのシャッターパネル(4A)(4B)は、第１シャッターパネル(4A)が室内側となるように互いに重ね合わせられかつ左右方向に所要距離ずれた状態で、ベース(2)の室内側に取り付けられている。
【００２４】
図５は、第１のシャッターパネル(4A)の構造および作動を示した背面図である（但し、図５では外装パネル(3A)(3B)および第２のシャッターパネル(4B)を省略した）。また、図６は、第２のシャッターパネル(4B)の構造および作動を示した背面図である（但し、図６では外装パネル(3A)(3B)および第１のシャッターパネル(4A)を省略した）。図３〜図６に示すように、第１のシャッターパネル(4A)は、開状態において右端を除いた外装パネル(3A)(3B)と各々重なる複数の方形状遮蔽部(41)と、隣り合う遮蔽部(41)どうしを連結しかつ開状態においてベース部材(20)の連結部(22)と重なる連結部(42)とを備えている。また、第２のシャッターパネル(4B)は、開状態において左端を除いた複数の外装パネル(3A)(3B)と各々重なる複数の方形状遮蔽部(41)と、隣り合う遮蔽部(41)どうしを連結しかつ開状態においてベース部材(20)の連結部(22)と重なる連結部(42)とを備えている。
【００２５】
各シャッターパネル(4A)(4B)には、外装パネル(3A)(3B)の第１軸部(31)および第２軸部(32)に対応する箇所に、横方向に延びかつ各軸部(31)(32)の先端部分が挿通されるスリット(43)が形成されている。これらのスリット(43)により、シャッターパネル(4A)(4B)のスライド方向および範囲が規制される。この実施形態では、第１シャッターパネル(4A)および第２シャッターパネル(4B)が、開口部(10A)(10B)(10C)を左右半分ずつ開閉しうるように、各スリット(43)の配置および長さが設定されている。
【００２６】
外装パネル(3A)(3B)の第１軸部(31)の先端には、図４に示すように、ビス(5)によって抜け止め片(6)が固定されている。これらの抜け止め片(6)により、シャッターパネル(3A)(3B)が第１軸部(31)から抜けてベース(2)から外れるのが阻止される。
【００２７】
図３に示すように、第１のシャッターパネル(4A)の一端部には、摘み部(44)が形成されている。この摘み部(44)は、例えば、シャッターパネル(4A)を所定形状に切り起こすことによって形成される。なお、図示は省略したが、摘み部(44)には、通常、合成樹脂等よりなるキャップが嵌められる。なお、第１のシャッターパネル(4A)に代えてまたは同パネル(4A)に加えて、第２のシャッターパネル(4B)に、同様の摘み部を形成しておいてもよい。
【００２８】
第１シャッターパネル(4A)と第２シャッターパネル(4B)とは、反転バー(7)によって、互いに左右逆方向にスライドするように連動させられる。反転バー(7)は、第１のシャッターパネル(4A)と第２のシャッターパネル(4B)との間に介在された状態で、その長さ中央部が右側の第２の外装パネル(3B)の第２軸部(32)に回動自在に嵌められている（図４参照）。反転バー(7)の両端部には、長さ方向に延びる切込み部(71a)(71b)が形成されている。そして、反転バー(7)の一方の切込み部(71a)に嵌まる凸部(45)が第１のシャッターパネル(4A)の室外側の面に形成され、反転バー(7)の他方の切込み部(71b)に嵌まる凸部(45)が第２のシャッターパネル(4B)の室内側の面に形成されている。これらの凸部(45)は、例えばバーリング加工によってシャッターパネル(4A)(4B)に形成される。
【００２９】
上記の面格子(1)は、例えば、ベース(2)の左右両端部を取付金具（図示略）を介して窓の左右両側枠に固定することによって、窓に設置される。
【００３０】
面格子(1)の各開口部(10A)(10B)(10C)が開いている状態では、図１に示すように、室外側から見ると、各シャッターパネル(4A)(4B)が外装パネル(3A)(3B)およびベース部材(20)の連結部(22)の裏側に隠れているので、デザイン性に優れた面格子(1)の外観が損なわれない。
【００３１】
そして、一部または全ての開口部(10A)(10B)(10C)を閉じる場合には、閉じようとする開口部(10A)(10B)(10C)に対応する第１のシャッターパネル(4A)の摘み部(44)を持って、同パネル(4A)を右方向にスライドさせる。すると、第１のシャッター(4A)によって各開口部(10A)(10B)(10C)の左半分が閉じられると共に、第１のシャッターパネル(4A)に連動して左方向にスライドさせられた第２シャッター(4B)により、各開口部(10A)(10B)(10C)の右半分が閉じられる（図３〜図６参照）。閉じた状態の各シャッターパネル(4A)(4B)を開ける場合には、上記と逆の操作を行えばよい。
【００３２】
上記実施形態の面格子(1)によれば、耐破壊強度を担うステンレス鋼製のベース(2)によって優れた防犯効果が得られる。とりわけ、上記面格子(1)の場合、ベース(2)におけるベース部材(20)どうしの接合箇所が多いため、従来の面格子と比べて侵入者が破壊に要する時間がより多くかかることになり、その意味でも防犯効果が高い。しかも、上記面格子(1)の場合、ベース(2)が、ベース部材(20)を縦および／または横に所要数連結することによって形成されているので、様々なサイズの窓に容易に対応させることができる。また、ベース(2)の室外側には合成樹脂製の外装パネル(3A)(3B)が取り付けられているので、外観デザインの多様化を図ることができる。しかも、上記の面格子(1)にあっては、面格子(1)の複数の開口部(10A)(10B)(10C）を、複数枚のシャッターパネル(4A)(4B)によって、必要に応じて全面的にまたは部分的に開閉することができるので、利便性に優れている。
【００３３】
また、特に、上記実施形態の面格子(1)の場合、外装パネル(3A)(3B)として横幅の異なる２種類のものが用いられているにもかかわらず、２枚のシャッターパネル(4A)(4B)を組み合わせることにより、開口部（10A)(10B)(10C）を開いた状態では各シャッターパネル(4A)(4B)が外装パネル(3A)(3B)の後に隠れて室外側からは全く見えないようになされているので、面格子としての優れた外観が損なわれない。しかも、各組のシャッターパネル(4A)(4B)は、反転バー(7)によって互いに逆方向にスライドするように連動させられるため、一方のシャッターパネル(4A)のみをスライド操作するだけで開口部（10A)(10B)(10C)の開閉を行うことができ、使い勝手がよい。
【００３４】
なお、上記の面格子(1)は、例えば、図２に示すようなベース(2)のみよりなる形態を基本パターンとし、必要に応じて、外装パネル(3A)(3B)やシャッターパネル(4A)(4B)を付加することが可能である。よって、この面格子(1)によれば、高い防犯性を基本性能とした上で、デザイン性、遮蔽性をオプションとして付加することができるので、コスト面を含めて使用者のニーズに幅広く対応することが可能である。
【図面の簡単な説明】
【００３５】
【図１】本発明の実施形態に係る窓用面格子の正面図である。
【図２】面格子のベースを示す正面図である。
【図３】面格子の背面図である。
【図４】図３のIV−IV線に沿う面格子の断面図である。
【図５】面格子の第１のシャッターパネルを示すものであって、（ａ）は開状態の背面図、（ｂ）は開状態の背面図である。
【図６】面格子の第２のシャッターパネルを示すものであって、（ａ）は開状態の背面図、（ｂ）は開状態の背面図である。
【符号の説明】
【００３６】
(1)：面格子
(10A)：大開口部
(10B)：小開口部
(10C)：端部開口部
(2)：ベース
(3A)：第１の外装パネル
(3B)：第２の外装パネル
(4A)：第１のシャッターパネル
(4B)：第２のシャッターパネル
【図１】
2006188903.tif 000003
【図２】
2006188903.tif 000004
【図３】
2006188903.tif 000005
【図４】
2006188903.tif 000006
【図５】
2006188903.tif 000007
【図６】
2006188903.tif 000008